(57)【要約】【課題】格納場所にコンパクトにかつ収まりよく格納できるとともに、格納場所からの取出し作業性も良い電気掃除機を提供する。【解決手段】掃除機本体２に接続される吸塵ホース１２がその上流側端部に有した握り管部１４の上流側の端部１６ａに、延長管２１の端部２３ａが接続される電気掃除機１を前提とする。握り管部１４の端部１６ａと延長管２１の端部２３ａとをヒンジ（連結手段）２５により回動可能に連結する。このヒンジ２５中心に、接続が解除された状態の握り管部１４と延長管２１とを折れ曲がるように回動させる。それにより、吸塵ホース１２の両端を拘束した状態で握り管部１４が延長管２１の横に並んで配置させて、電気掃除機１を格納できるようにしたことを特徴としている。【選択図】      図２
2008220664.tif 000002
【特許請求の範囲】
【請求項１】
掃除機本体と、この本体に接続される吸塵ホースと、このホースがその上流側端部に有した握り管部の上流側の端部に接続される延長管とを具備した電気掃除機において、
前記握り管部の上流側の端部とこの端部に接続される前記延長管の下流側端部とを連結手段により回動可能に連結し、前記接続が解除された状態の前記握り管部と前記延長管とを、前記連結手段を中心に折れ曲がるように回動させて、前記握り管部が前記延長管の横に並んで配置されるようにした電気掃除機。
【請求項２】
前記連結手段をヒンジで形成し、前記握り管部の上流側の端部と前記延長管の下流側端部との内の一方の端部にクランプを取付けるとともに、他方の端部に前記クランプが係脱されるクランプ受けを取付け、前記握り管部の上流側の端部と前記延長管の下流側端部とが真っ直ぐに連続して接続された状態を、前記クランプを前記クランプ受けに係合して保持するとともに、前記クランプを前記クランプ受けから外すことにより前記ヒンジを中心とする前記握り管部と前記延長管との回動が許されるようにした請求項１に記載の電気掃除機。
【請求項３】
前記連結手段を、前記握り管部の上流側の端部と前記延長管の下流側端部との内の一方の端部の外面に突設された第１のアームと、可撓変形が可能で前記第１のアームの側面に重なる一対の挟み板部を有して前記握り管部の上流側の端部と前記延長管の下流側端部との内の他方の端部の外面に突設された第２のアームとで形成するとともに、
前記一方の端部の軸方向に互いに離間する第１の側面突起と第２の側面突起を前記第１のアームの側面に突設し、前記第１の側面突起と第２の側面突起に係脱可能なヒンジ小孔と、前記第１の側面突起と第２の側面突起に係脱可能なヒンジ長孔とを、前記一対の挟み板部に夫々設け、
前記握り管部の上流側の端部と前記延長管の下流側端部とが真っ直ぐに連続して接続された状態を、前記握り管部の上流側の端部と前記延長管の下流側端部との嵌合により保持するとともに、この嵌合を外すことにより前記連結手段を中心とする前記握り管部と前記延長管との回動が許されるようにした請求項１に記載の電気掃除機。
【請求項４】
前記握り管部と前記延長管とを連通する蛇腹状の連通管を、前記握り管部の上流側の端部と前記延長管の下流側端部とに渡って設け、前記握り管部の上流側の端部と前記延長管の下流側端部とが真っ直ぐに連続して接続された状態で、前記連通管が前記握り管部と延長管とにより覆い隠されるようにした請求項１から３の内のいずれか一項に記載の電気掃除機。
【発明の詳細な説明】
【技術分野】
【０００１】
本発明は、掃除機本体に接続される吸塵ホース及びこのホースの握り管部に接続される延長管を備えた電気掃除機に関する。
【背景技術】
【０００２】
従来の電気掃除機が備える吸塵ホースは掃除機本体に着脱可能であるが、通常、この吸塵ホースは掃除機本体に接続された状態に保持されている。この吸塵ホースの握り管部には延長管を介して吸込み口体が接続され、この接続も通常は保持されたままであることが多い。以上のように通常は互いに接続された状態に保持された吸塵ホース、延長管、及び吸込み口体は、掃除機本体への吸塵系統をなしている。
【０００３】
掃除の際、使用者は吸塵系統の握り管部を握持し延長管を介して吸込み口体を目的とする掃除場所に任意に移動させる。この掃除において、掃除場所や掃除対象に適する吸込み口体が、予め用意された各種の吸込み口体の中から選択して使用される。この場合、吸込み口体は延長管の先端部又は吸塵ホースの握り管部に接続して使用される。このため、吸塵ホースの握り管部に対して延長管は着脱自在に嵌合して接続されている。
【０００４】
そして、電気掃除機を保管する際等に、掃除機本体の後部が室内の床面に対向して載置される立位状態とし、この状態で上向きに開放する掃除機本体の係合凹部に、延長管に設けた取付爪部を上方から引掛けて、延長管を立てた状態に保持する技術が知られている。このように延長管が立てられた状態で前記吸塵系統は、吸込み口体が延長管の下方に配置され、吸塵ホースの握り管部は延長管の上方に連続するように配置され、かつ、吸塵ホースのホース部は握り管部の上端から立位状態の掃除機本体の上を向いた本体吸込み口にわたって自由に垂れるように配置される（例えば、特許文献１参照。）。
【特許文献１】特開２００２−２８１０８号公報（段落0012−0108、図１−図２３、特に段落0016,0037,0038,0042,0050,0053,0054,0057）
【発明の開示】
【発明が解決しようとする課題】
【０００５】
特許文献１のように吸塵系統が組立てられた状態のまま、つまり、吸塵ホース、延長管、及び吸込み口体が互いに接続された状態で格納される電気掃除機は、立てられた状態に保持されている延長管の上側に、吸塵ホースの握り管部が連続して配置される。そのため、この電気掃除機を、低い押入れや高さが低い棚等に格納するには不向きである。
【０００６】
こうした格納に適合させるためには延長管から吸塵ホースの握り管部を外せばよい。しかし、このようにすると、吸塵ホースの握り管部が拘束されないので、握り管部が自由な方向に勝手に向いてしまい、吸塵ホースを格納する上での収まりが悪くなる点で不便である。更に、吸塵ホースが外された延長管が掃除機本体に保持されないで格納された場合、吸塵ホースが接続された掃除機本体を取出す際に、握り管部が落ちて床面等に当たらないように配慮しつつ格納場所から取出す手間が必要となるという点でも不便である。
【０００７】
本発明の目的は、格納場所にコンパクトにかつ収まりよく格納できるとともに、格納場所からの取出し作業性も良い電気掃除機を提供することにある。
【課題を解決するための手段】
【０００８】
本発明は、掃除機本体に接続される吸塵ホースの握り管部の上流側の端部と、この端部に接続される延長管の下流側端部とを、連結手段により回動可能に連結し、接続が解除された状態の前記握り管部と前記延長管とを、前記連結手段を中心に折れ曲がるように回動させて、前記握り管部が前記延長管の横に並んで配置されるようにしている。
【発明の効果】
【０００９】
本発明の電気掃除機によれば、握り管部を延長管の横に並べて配置した状態とできるのでコンパクトに格納でき、更に、吸塵ホースの両端が拘束されているので、格納状態での収まりがよいとともに格納場所からの取出し作業性も向上できる。
【発明を実施するための最良の形態】
【００１０】
図１〜図４を参照して本発明の第１実施形態を説明する。
【００１１】
図１及び図２中符号１はキャニスタ型の電気掃除機を示している。この電気掃除機１が備える掃除機本体２は、その前部下面に取付けられた図示しないキャスタと、後部に取付けられた車輪３とにより被掃除面上を容易に移動可能である。掃除機本体２の後部に図示しない電動送風機が内蔵されている。この電動送風機の上流側である掃除機本体２の前部に図示しない集塵部が設けられているとともに、この集塵部の上流側に位置する本体吸込み口(図示しない)が掃除機本体２の前面に開放して設けられている。
【００１２】
図１及び図２に示すように掃除機本体２は、その後部の後面２ａと車輪３を部屋の床面等の掃除機載置面に接触させて立位状態に載置でき、この立位状態で図示しない本体吸込み口が上を向くようになっている。更に、使用時に部屋の床面と対向する掃除機本体２の下面に爪受け４が設けられている。爪受け４は掃除機本体２が立位状態になったときに上向きに開放する係合凹部からなる。
【００１３】
図１及び図２中符号１１は吸塵系統を示している。この吸塵系統１１は、互いに連通する吸塵ホース１２と、延長管２１と、吸込み口体３１とを備えている。
【００１４】
吸塵ホース１２は、可撓性のホース部１３の上流側端部に握り管部１４を連結するとともに、ホース部１３の下流側端部に接続管１５を連結して形成されている。
【００１５】
ホース部１３は蛇腹状をなして自在に変形できるように可撓性を有している。接続管１５は掃除機本体２の本体吸込み口に着脱可能に接続される。通常、この接続は保持されており、したがって、吸塵ホース１２は掃除機本体２ととともに持ち運ばれるようになっている。
【００１６】
握り管部１４は、使用者が吸塵系統１１を持つときに握持されるものであって、本実施形態の場合、図３及び図４に示すように管体部１６と、握り部１７とを備えている。
【００１７】
軸方向両端が夫々開口された管体部１６は、例えば握り管部１４が握持された状態で下向きに反るように略ヘの字状に曲がった管で形成されているが、直管であってもよい。この握り管部１４の先端部をなす管体部１６の上流側の端部１６ａに、その先端面を覆ってゴムにより環状に作られたパッキン１８が接着されている。管体部１６の下流側端部にホース部１３の上流側端部が連結されている。
【００１８】
握り部１７は、管体部１６の外面に斜め後方に向けて突出するように設けられて、握り部１７は管体部１６とホース部１３と連結部を上方から覆っている。この握り部１７には、前記図示しない電動送風機等に対する制御上の指令を与える操作部１９が設けられている。なお、握り管部１４は、握り部１７を省略して管体部１６自体が握持される構成であってもよい。
【００１９】
延長管２１は、例えば軸方向に摺動可能に嵌合された上流側管２２と下流側管２３とを備えた二本継のものであって、前記摺動により伸縮できる。図１、図２では上流側管２２の大部分を下流側管２３内に収めて短く縮めた状態を示している。この短縮状態で野延長管２１の全長は立位状態の掃除機本体２の高さよりも長い。延長管２１の下流側端部をなす下流側管２３の端部２３ａに、その先端面を覆ってゴムにより環状に作られたパッキン２４が接着されている。このパッキン２４は握り管部１４のパッキン１８と同形状で、このパッキン１８に接離可能である。
【００２０】
図３及び図４に示すように延長管２１の下流側端部をなす下流側管２３の端部２３ａと、握り管部１４の先端部をなす管体部１６の上流側の端部１６ａとは、連結手段、例えばヒンジ２５により回動可能に連結されている。ヒンジ２５は、管体部１６及び下流側管２３の周方向に関して握り部１７に対して略１８０°離れて設けられている。このヒンジ２５を中心に延長管２１と握り管部１４とは折れ曲がるように回動することができ、それにより、図２及び図４に示すように握り管部１４を延長管２１の横に並んで配置させることができる。
【００２１】
吸塵系統１１は、握り管部１４の管体部１６と延長管２１の下流側管２３とが真っ直ぐに連続して接続された状態を保持するとともに、この保持状態を手動で解除できる結合手段を備えている。この結合手段は例えばクランプ２６とクランプ受け２７とからなる。
【００２２】
クランプ２６は握り管部１４の先端部をなす管体部１６の上流側の端部１６ａの外面に取付けられている。このクランプ２６は手動により操作される。クランプ受け２７は延長管２１の下流側端部をなす下流側管２３の端部２３ａの外面に取付けられている。握り管部１４の管体部１６と延長管２１の下流側管２３とが真っ直ぐに連続して接続された状態において、クランプ２６は手動操作によりクランプ受け２７に係脱される。クランプ２６とクランプ受け２７は、管体部１６及び下流側管２３の周方向に関してヒンジ２５に対して略１８０°離れて設けられている。なお、クランプ２６を延長管２１の下流側端部をなす下流側管２３の端部２３ａに取付けるとともに、クランプ受け２７を握り管部１４の先端部をなす管体部１６の上流側の端部１６ａに取付けてもよい。
【００２３】
クランプ２６をクランプ受け２７に手動で引掛ける(係合する)ことにより、管体部１６と下流側管２３とが真っ直ぐに連続された接続状態が保持されるとともに、この状態ではパッキン１８，２４同士が突き当たって密に接触し管体部１６と下流側管２３と野間の気密が図られるようになっている。クランプ受け２７に対するクランプ２６の引っ掛かりを手動で外す（係合を外す）ことにより、ヒンジ２５を中心とする握り管部１４と延長管２１との回動が許される。
【００２４】
図１及び図２に示すように延長管２１の上流側管２２の先端側端部の外面に爪ベース２８が固定されていて、この爪ベース２８に係止爪２９が一体に突設されている。係止爪２９は前記爪受け４に係脱可能である。
【００２５】
吸込み口体３１は延長管２１の上流側管２２の先端側端部に着脱可能に嵌合して取付けられている。図１及び図２に示した吸込み口体３１は主に使用される床掃除用のものであり、通常、上流側管２２の先端側端部に取付けられた状態に保持される。しかし、アタッチメントとして別に用意された他の吸込み口体例えば隙間用の吸込みノズルを使用するとき等は、それが上流側管２２の先端側端部に付替えられる。
【００２６】
掃除機本体２に接続された吸塵系統１１の延長管２１が有した下流側管２３の端部２３ａと握り管部１４が有した管体部１６の上流側の端部１６ａは、使用者が電気掃除機１の握り管部１４を握って掃除する場合等に、直線状に連続した接続状態に保持される。この保持は、クランプ２６をクランプ受け２７に係合させることにより、これらからなる結合手段とヒンジ２５によってなされる。この状態を図３に示す。この状態では、握り管部１４のパッキン１８と延長管２１のパッキン２４とが突き当たって、握り管部１４と延長管２１との間の気密が確保されるので、掃除の際に握り管部１４と延長管２１との間から外気が吸込まれないようにできる。
【００２７】
掃除終了後の電気掃除機１の格納状態は二通りあり、第１の格納状態を図２に示し、第２の格納状態を図１に示す。
【００２８】
第１の格納状態では、掃除機本体２に吸塵系統１１が接続された状態で、この吸塵系統１１の係止爪２９を、立位状態にした掃除機本体２の爪受け４に係合することにより、吸塵系統１１の延長管２１が立てられる。これとともに、クランプ受け２７からクランプ２６を外した上で、ヒンジ２５を中心に折れ曲がるように握り管部１４を下向きに回動させて、この握り管部１４を、掃除機本体２に立てて支持されている延長管２１の横に並べて配置させる。これにより、延長管２１の下流側管２３の端部２３ａと、握り管部１４の管体部１６の上流側の端部１６ａとが、並んで上向きに開口された状態となる。以上の握り管部１４の回動を伴う配置作業は、延長管２１を掃除機本体２に立てて支持する前に行っても後に行ってもよい。
【００２９】
第１の格納状態では、掃除機本体２に立てて保持された延長管２１の上側に、吸塵ホース１２の握り管部１４が連続して配置されることがない。そのため、吸塵ホース１２の握り管部１４に相当する高さスペースを延長管２１の上側に考慮しないで格納できる。したがって、格納された電気掃除機１上に十分な上方スペースがない格納場所、例えば低い押入れや高さが低い棚等にも格納することができる。
【００３０】
この第１の格納状態では、吸塵ホース１２の握り管部１４と延長管２１とは、連通されていないものの、ヒンジ２５によって接続された状態に維持されている。言い換えれば、吸塵ホース１２の握り管部１４は、掃除機本体２に立てて支持されている延長管２１にヒンジ２５により拘束されている。又、吸塵ホース１２の接続管１５は、掃除機本体２の本体吸込み口に接続されて掃除機本体２に拘束されている。つまり、第１の格納状態で吸塵ホース１２はその両端部が拘束されている。
【００３１】
したがって、吸塵ホース１２の握り管部１４が拘束されない場合のように、握り管部１４が自由な方向に勝手に向いて吸塵ホース１２を格納する上での収まりが悪くならないようにして格納できる。そのため、次に電気掃除機１を使用するのに、この電気掃除機１を格納場所から出す場合に、吸塵系統１１を掃除機本体２とともに一度に取出せるとともに、片手で握り管部１４を持たなくても、この握り管部１４が落ちて部屋の床面に衝突することがないので、前記衝突に伴う損傷を受けることがない等、使い勝手が良い。
【００３２】
しかも、第１の格納状態では、吸塵ホース１２の握り管部１４の端部１６ａが上向きに開口されるように握り管部１４が回動されたことで、その管体部１６の下流側端部に連結された吸塵ホース１２のホース部１３の上流側端部１３ａが、図２に示すようにホース部１３の自重で急激に曲がることがなく、真っ直ぐな状態となる。それにより、ホース部１３の上流側端部に対する負荷を軽減できる。
【００３３】
又、第２の格納状態では、掃除機本体２に吸塵系統１１が接続された状態で、しかも、ヒンジ２５で接続されている握り管部１４と延長管２１とが、それらの端部１６ａと端部２３ａを直線状に連続させた接続状態のままで、この吸塵系統１１の係止爪２９を、立位状態にした掃除機本体２の爪受け４に係合させる。それにより、吸塵系統１１の延長管２１を立ててから、電気掃除機１を格納する。
【００３４】
この第２の格納状態は、立てられた状態に保持された延長管２１の上側に、吸塵ホース１２の握り管部１４が連続して配置される。このため、低い押入れや高さが低い棚等に格納するには不向きであるので、格納された電気掃除機１上に十分な上方スペースがある場合に選択される。
【００３５】
第２の格納状態では、吸塵ホース１２の接続管１５が掃除機本体２の本体吸込み口に接続されているとともに、掃除機本体２に立てられた状態に支持されている延長管２１に、吸塵ホース１２の握り管部１４が、ヒンジ２５及び結合手段により接続されている。つまり、吸塵ホース１２の両端部が拘束されている。したがって、吸塵ホース１２の握り管部１４が拘束されない場合のように、握り管部１４が自由な方向に勝手に向いて吸塵ホース１２を格納する上での収まりが悪くならないようにして格納できる。そのため、次に電気掃除機１を使用するのに、この電気掃除機１を格納場所から出す場合に、吸塵系統１１を掃除機本体２とともに一度に取出せるとともに、片手で握り管部１４を持たなくても、この握り管部１４が落ちて部屋の床面に衝突することがないので、前記衝突に伴う損傷を受けることがない等、使い勝手が良い。
【００３６】
図５〜図７を参照して本発明の第２実施形態を説明する。第２実施形態は、基本的には第１実施形態と同じであるので、第１実施形態と同じ構成については、第１実施形態と同一符号を付してその説明を省略する。
【００３７】
第２実施形態では、握り管部１４の上流側端及び延長管２１の下流側端に気密保持用のパッキンを設けることに代えて、連通管３５を設けている。
【００３８】
連通管３５は、合成樹脂等により蛇腹状に形成されていて、ホース部１３のように螺旋状の導電性の金属コイルは内蔵されていないが、外力に追従して伸縮及び折り曲げが可能に作られている。この連通管３５は、握り管部１４の管体部１６の上流側の端部１６ａと延長管２１の下流側管２３の端部２３ａとに渡って設けられていて、握り管部１４の管体部１６と延長管２１の下流側管２３とを常に連通している。そのために、連通管３５の一端部は管体部１６の上流側の端部１６ａの内側に挿入されて図示しない接着剤により固定され、連通管３５の他端部は下流側管２３の端部２３ａの内側に挿入されて図示しない接着剤により固定されている。
【００３９】
図５及び図７に示すように連通管３５は、ヒンジ２５を中心に折れ曲がるように握り管部１４を下向きに回動させて、この握り管部１４を、掃除機本体２に立てて支持されている延長管２１の横に並べて配置させた際に、逆Ｕ字状に曲がることが可能である。これとともに、図６に示すように連通管３５は、握り管部１４の端部１６ａと延長管２１の下流側管２３の端部２３ａとが真っ直ぐに連続された接続状態で、軸方向長さが短くなるように縮められて、握り管部１４と延長管２１とにより覆い隠されるようになっている。なお、握り管部１４の端部１６ａと延長管２１の下流側管２３の端部２３ａとが真っ直ぐに連続された接続状態は、既述のようにヒンジ２５と結合手段により保持される。
【００４０】
以上説明した事項以外は第１実施形態と同じである。したがって、この第２実施形態でも、第１実施形態で既に説明した理由により、コンパクトに格納できるとともに、格納場所に収まりよく格納でき、しかも、格納場所からの取出し作業性も良い電気掃除機できる。しかも、握り管部１４の管体部１６と延長管２１の下流側管２３とを連通する連通管３５を備えたことにより、掃除の際に握り管部１４と延長管２１との間から外気が吸込まれる恐れがない点で優れている。
【００４１】
図８及び図９を参照して本発明の第３実施形態を説明する。第３実施形態は、基本的には第１実施形態と同じであるので、第１実施形態と同じ構成については、第１実施形態と同一符号を付してその説明を省略する。
【００４２】
第３実施形態では、握り管部１４の上流側端及び延長管の下流側端に気密保持用のパッキンを設けること及び結合手段を設けることに代えて、握り管部１４の管体部１６の上流側の端部１６ａと、延長管の下流側管２３の端部２３ａとが着脱自在に嵌合することを可能とする連結手段を採用している。
【００４３】
この連結手段をなすヒンジ２５は、第１のアーム４１と第２のアーム５１とで形成されている。
【００４４】
第１のアーム４１は、握り管部１４の先端部、つまり、管体部１６の上流側の端部１６ａの外面に一体に突設されている。第１のアーム４１は、握り管部１４の軸方向に延びる部位４１ａを有していて、この部位４１ａは端部１６ａの外面に対向しこの外面との間に僅かな隙間を形成している。
【００４５】
前記部位４１ａの両側面に第１の側面突起４２と第２の側面突起４３とが一体に突設されている。第１の側面突起４２は前記部位４１ａの先端側に設けられ、第２の側面突起４３は前記部位４１ａの根元側に設けられ、それにより、第１の側面突起４２と第２の側面突起４３は管体部１６の軸方向に互いに離間している。
【００４６】
第２のアーム５１は、延長管の下流側端部をなした下流側管２３の端部２３ａの外面に一体に突設されている。第２のアーム５１は、下流側管２３の軸方向に延びる部位５１ａを有していて、この部位５１ａは端部２３ａの外面に対向しこの外面との間に僅かな隙間を形成している。
【００４７】
前記部位５１ａは、弾性変形が可能で前記部位４１ａの側面に重なる一対の挟み板部５２を有している。これらの挟み板部５２にヒンジ小孔５３とヒンジ長孔５４とが夫々設けられている。ヒンジ小孔５３は第１の側面突起４２及び第２の側面突起４３に係脱可能である。ヒンジ長孔５４の長さは第１の側面突起４２と第２の側面突起４３との離間距離よりも短い。このヒンジ長孔５４も第１の側面突起４２及び第２の側面突起４３に係脱可能である。
【００４８】
前記構成のヒンジ２５は、少なくとも第１の側面突起４２にヒンジ小孔５３又はヒンジ長孔５４を嵌合させて、握り管部１４の管体部１６と延長管２１の下流側管２３とを連結している。
【００４９】
詳しくは、図９（Ａ）に示すように握り管部１４の管体部１６の上流側の端部１６ａに延長管の下流側管２３の端部２３ａが嵌入して接続された状態では、第１の側面突起４２にヒンジ小孔５３が嵌合されるとともに、第２の側面突起４３にヒンジ長孔５４が嵌合されて握り管部１４とが延長管とが連結されている。この状態で、管体部１６の上流側の端部１６ａの一部が、下流側管２３の端部２３ａの外面と第２のアーム５１の部位５１ａとの間の隙間に挿入して、下流側管２３の端部２３ａと管体部１６の上流側の端部１６ａとの嵌合を許容している。この図９（Ａ）に示す状態では、管体部１６の上流側の端部１６ａと下流側管２３の端部２３ａとが真っ直ぐに連続して接続されている。
【００５０】
それにより、掃除の際の吸塵風路が組立てられる。これとともに、電気掃除機を図１に示したのと同様な第２の格納状態で格納することができる。
【００５１】
図９（Ａ）に示す状態から図２に示したのと同様な第１の格納状態とする手順を説明する。
【００５２】
まず、図９（Ｂ）に示すように管体部１６の上流側の端部１６ａと下流側管２３の端部２３ａとを互いに離れる方向に引っ張って、これらの接続を解除する。これにより、ヒンジ小孔５３が第１の側面突起４２から外れる一方で、ヒンジ長孔５４が第２の側面突起４３から外れるとともに第１の側面突起４２に嵌合される。この場合、ヒンジ長孔５４と第１の側面突起４２との嵌合により、管体部１６と下流側管２３との連結は維持されたままである。なお、以上の管体部１６と下流側管２３との相対的動きは、ヒンジ長孔５４によって許容される。
【００５３】
次に、立位状態の掃除機本体２に延長管を引っ掛けて立てた状態に支持した後、図９（Ｃ）に示すように第１の側面突起４２を支点として握り管部１４及び延長管を相対的に回転させて、図９（Ｄ）に示すように握り管部１４を延長管の下流側管２３に並ぶように配置する。この場合、第１の側面突起４２にヒンジ長孔５４が嵌合しているだけではなく、第２の側面突起４３にヒンジ小孔５３が嵌合されるので、延長管２１に対して握り管部１４がふらつかないようにできる。
【００５４】
以上の手順により、電気掃除機を図２に示したのと同様な第１の格納状態とすることができる。又以上の手順と逆の手順を実施することにより、図９（Ｄ）の状態から図９（Ｃ）及び図９（Ｂ）の状態を順次経た後に、図９（Ａ）の状態として、掃除等に適した状態に吸塵系統を組立てることができる。
【００５５】
以上説明した事項以外は第１実施形態と同じである。したがって、この第３実施形態でも、第１実施形態で既に説明した理由により、コンパクトに格納できるとともに、格納場所に収まりよく格納でき、しかも、格納場所からの取出し作業性も良い電気掃除機できる。しかも、第３実施形態では、以上の構成のヒンジ２５を用いることで、握り管部１４の管体部１６と延長管２１の下流側管２３との接続状態を維持するための結合手段を省略できる点で優れている。
【００５６】
なお、第３実施形態では、第１のアーム４１を握り管部１４の上流側の端部に設けることに代えて延長管２１の下流側端部に設けるとともに、第２のアーム５１を延長管２１の下流側端部に設けることに代えて握り管部１４の上流側の端部に設けてもよい。又、第３実施形態においては、第２実施形態で説明した蛇腹状の連通管３５を追加して実施することも可能である。
【図面の簡単な説明】
【００５７】
【図１】本発明の第１実施形態に係る電気掃除機を第２の格納形態を示す側面図。
【図２】第１実施形態に係る電気掃除機を第１の格納形態を示す側面図。
【図３】第１実施形態に係る電気掃除機の延長管と吸塵ホースの握り管部との接続部まわりを、延長管の下流側端部と吸塵ホースの握り管部とが真っ直ぐに連続して接続された状態で示す断面図。
【図４】第１実施形態に係る電気掃除機の延長管と吸塵ホースの握り管部との接続部まわりを、延長管の下流側端部の横に吸塵ホースの握り管部が並べられた状態で示す断面図。
【図５】本発明の第２実施形態に係る電気掃除機を第１の格納形態を示す側面図。
【図６】第２実施形態に係る電気掃除機の延長管と吸塵ホースの握り管部との接続部まわりを、延長管の下流側端部と吸塵ホースの握り管部とが真っ直ぐに連続して接続された状態で示す断面図。
【図７】第２実施形態に係る電気掃除機の延長管と吸塵ホースの握り管部との接続部まわりを、延長管の下流側端部の横に吸塵ホースの握り管部が並べられた状態で示す断面図。
【図８】本発明の第３実施形態に係る電気掃除機の延長管の下流側端部と吸塵ホースの握り管部とを分解して示す斜視図。
【図９】(Ａ）〜（Ｄ）は第３実施形態に係る電気掃除機の延長管の下流側端部と吸塵ホースの握り管部との夫々異なる位置関係を示す側面図。
【符号の説明】
【００５８】
１…電気掃除機、２…掃除機本体、４…爪受け、１１…吸塵系統、１２…求人ホース、１３…ホース部、１４…握り管部、１５…接続管、１６…管体部、１６ａ…管体部の上流側の端部(握り管部の上流側の端部)、２１…延長管、２２…上流側管、２３…下流側管、２３ａ…下流側管の端部（延長管の端部）、２５…ヒンジ(連結手段)、２６…クランプ(結合手段)、２７…クランプ受け（結合手段）、２９…係止爪、３１…吸込み口体、３５…吸込み口体、４１…第１のアーム、４２…第１の側面突起、４３…第２の側面突起、５１…第２のアーム、５２…挟み板部、５３…ヒンジ小孔、５４…ヒンジ長孔
【図１】
2008220664.tif 000003
【図２】
2008220664.tif 000004
【図３】
2008220664.tif 000005
【図４】
2008220664.tif 000006
【図５】
2008220664.tif 000007
【図６】
2008220664.tif 000008
【図７】
2008220664.tif 000009
【図８】
2008220664.tif 000010
【図９】
2008220664.tif 000011